【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
第１記憶手段と、
第１記憶手段よりデータアクセス速度が遅い第２記憶手段とを備える画像出力装置であって、
複数の画像データを入力する入力手段と、
前記第１記憶手段の空き容量の閾値を設定する設定手段と、
前記入力手段により入力された画像データが前記第１記憶手段に記憶された場合の前記第１記憶手段の空き容量を検出する検出手段と、
前記検出手段により検出された前記第１記憶手段の空き容量が前記設定手段により設定された前記閾値より小さいか否かを判断する判断手段と、
前記検出手段により検出された前記空き容量が前記設定手段により設定された前記閾値より小さいと前記判断手段により判断された場合、前記第１記憶手段に記憶された画像データのうち前記入力手段により入力された画像データよりデータサイズが小さい画像データを前記第２記憶手段に転送するとともに、前記入力手段により入力された画像データを前記第１記憶手段に保持するように前記第１記憶手段及び前記第２記憶手段への画像データの記憶を制御する制御手段と、
前記第１記憶手段又は前記第２記憶手段から画像データを読み出し出力する出力手段とを有する画像出力装置。
【請求項２】
前記出力手段により出力される画像データが前記第１記憶手段から読み出されたか否かを判定する判定手段と、
前記画像データが前記第１記憶手段から読み出されたと前記判定手段により判定された場合に、前記第２記憶手段に記憶された画像データを前記第１記憶手段に転送する転送手段とを有することを特徴とする請求項１に記載の画像出力装置。
【請求項３】
前記転送手段は、前記画像データが前記第１記憶手段から読み出されたと前記判定手段により判定された場合に、前記第２記憶手段に記憶された画像データのうちデータサイズが最も大きい画像データを前記第１記憶手段に転送することを特徴とする請求項２に記載の画像出力装置。
【請求項４】
前記第１記憶手段の記憶容量は、前記第２記憶手段の記憶容量より小さいことを特徴とする請求項１乃至３の何れか１項に記載の画像出力装置。
【請求項５】
前記制御手段は、前記入力手段により入力された複数の画像データを前記第１記憶手段又は前記第２記憶手段に記憶させる際に、該画像データがそれぞれ前記第１記憶手段又は前記第２記憶手段のうちどちらに記憶させるかを示す付加情報とともに記憶させ、
前記出力手段は、前記付加情報に基づいて前記第１記憶手段又は前記第２記憶手段から画像データを読み出し出力することを特徴とする請求項１乃至３の何れか１項に記載の画像出力装置。ことを特徴とする請求項１乃至４の何れか１項に記載の画像出力装置。
【請求項６】
前記出力手段は、前記第１記憶手段又は前記第２記憶手段から読み出した画像データを外部装置に送信することを特徴とする請求項１乃至５の何れか１項に記載の画像出力装置。
【請求項７】
前記出力手段は、前記第１記憶手段又は前記第２記憶手段から読み出した画像データに基づいて印刷処理を実行することを特徴とする請求項１乃至６の何れか１項に記載の画像出力装置。
【請求項８】
前記制御手段は、前記第１記憶手段に記憶された画像データのうちデータサイズが最も小さい画像データを前記第２記憶手段に転送するとともに、前記入力手段により入力された画像データを前記第１記憶手段に保持するように前記第１記憶手段及び前記第２記憶手段への画像データの記憶を制御することを特徴とする請求項１乃至７の何れか１項に記載の画像出力装置。
【請求項９】
第１記憶手段と、
第１記憶手段よりデータアクセス速度が遅い第２記憶手段とを備える画像出力装置であって、
複数の画像データを入力する入力手段と、
画像データのデータサイズの閾値を設定する設定手段と、
前記入力手段により入力された画像データのデータサイズが前記設定手段により設定された前記閾値より大きいか否かを判断する判断手段と、
前記入力手段により入力された画像データのデータサイズが前記閾値より大きいと前記判断手段により判断された場合、前記入力手段により入力された画像データを第１記憶手段に記憶するとともに、その後に前記入力手段により入力される画像データを前記判断手段による判断にかかわらず前記第２記憶手段に記憶するよう前記第１記憶手段及び前記第２記憶手段を制御する制御手段と、
前記第１記憶手段又は前記第２記憶手段から画像データを読み出し出力する出力手段とを有することを特徴とする画像出力装置。
【請求項１０】
前記出力手段により出力される画像データが前記第１記憶手段から読み出されたか否かを判定する判定手段と、
前記画像データが前記第１記憶手段から読み出されたと前記判定手段により判定された場合に、前記第２記憶手段に記憶された画像データを前記第１記憶手段に転送する転送手段とを有することを特徴とする請求項９に記載の画像出力装置。
【請求項１１】
前記転送手段は、前記画像データが前記第１記憶手段から読み出されたと前記判定手段により判定された場合に、前記第２記憶手段に記憶された画像データのうちデータサイズが最も大きい画像データを前記第１記憶手段に転送することを特徴とする請求項１０に記載の画像出力装置。
【請求項１２】
前記第１記憶手段の記憶容量は、前記第２記憶手段の記憶容量より小さいことを特徴とする請求項９乃至１１の何れか１項に記載の画像出力装置。
【請求項１３】
前記制御手段は、前記入力手段により入力された複数の画像データを前記第１記憶手段又は前記第２記憶手段に記憶させる際に、該画像データがそれぞれ前記第１記憶手段又は前記第２記憶手段のうちどちらに記憶されたかを示す付加情報とともに記憶させ、
前記出力手段は、前記付加情報に基づいて前記第１記憶手段又は前記第２記憶手段から画像データを読み出し出力することを特徴とする請求項９乃至１２の何れか１項に記載の画像出力装置。
【請求項１４】
前記出力手段は、前記第１記憶手段又は前記第２記憶手段から読み出した画像データを外部装置に送信することを特徴とする請求項９乃至１３の何れか１項に記載の画像出力装置。
【請求項１５】
前記出力手段は、前記第１記憶手段又は前記第２記憶手段から読み出した画像データに基づいて印刷処理を実行することを特徴とする請求項９乃至１４の何れか１項に記載の画像出力装置。
【請求項１６】
第１記憶手段と、
第１記憶手段よりデータアクセス速度が遅い第２記憶手段とを備える画像出力装置における画像出力方法であって、
画像データを入力する入力工程と、
前記第１記憶手段の空き容量の閾値を設定する設定工程と、
前記入力工程により入力された画像データが前記第１記憶手段に記憶された場合の前記第１記憶手段の空き容量を検出する検出工程と、
前記検出工程により検出された前記第１記憶手段の空き容量が前記設定工程により設定された前記閾値より小さいか否かを判断する判断工程と、
前記検出工程により検出された前記空き容量が前記設定工程により設定された前記閾値より小さいと前記判断工程により判断された場合、前記第１記憶手段に記憶された画像データのうち前記入力手段により入力された画像データよりデータサイズが小さい画像データを前記第２記憶手段に転送するとともに、前記入力工程により入力された画像データを前記第１記憶手段に保持するように前記第１記憶手段及び前記第２記憶手段への画像データの記憶を制御する制御工程と、
前記第１記憶手段又は前記第２記憶手段から画像データを読み出し出力する出力工程とを有することを特徴とする画像出力方法。
【請求項１７】
第１記憶手段と、
第１記憶手段よりデータアクセス速度が遅い第２記憶手段とを備える画像出力装置を制御するための画像出力方法であって、
複数の画像データを入力する入力工程と、
画像データのデータサイズの閾値を設定する設定工程と、
前記入力工程により入力された画像データのデータサイズが前記設定工程により設定された前記閾値より大きいか否かを判断する判断工程と、
前記入力工程により入力された画像データのデータサイズが前記閾値より大きいと前記判断工程により判断された場合、前記入力工程により入力された画像データを第１記憶手段に記憶するとともに、その後に前記入力工程により入力される画像データを前記判断工程による判断にかかわらず前記第２記憶手段に記憶するよう前記第１記憶手段及び前記第２記憶手段を制御する制御工程と、
前記第１記憶手段又は前記第２記憶手段から画像データを読み出し出力する出力工程とを有することを特徴とする画像出力方法。
【手続補正２】
【補正対象書類名】明細書
【補正対象項目名】０００８
【補正方法】変更
【補正の内容】
【０００８】
上記の課題を解決するため、本発明に係る画像出力装置は、第１記憶手段と、第１記憶手段よりデータアクセス速度が遅い第２記憶手段とを備える画像出力装置であって、複数の画像データを入力する入力手段と、前記第１記憶手段の空き容量の閾値を設定する設定手段と、前記入力手段により入力された画像データが前記第１記憶手段に記憶された場合の前記第１記憶手段の空き容量を検出する検出手段と、前記検出手段により検出された前記第１記憶手段の空き容量が前記設定手段により設定された前記閾値より小さいか否かを判断する判断手段と、前記検出手段により検出された前記空き容量が前記設定手段により設定された前記閾値より小さいと前記判断手段により判断された場合、前記第１記憶手段に記憶された画像データのうち前記入力手段により入力された画像データよりデータサイズが小さい画像データを前記第２記憶手段に転送するとともに、前記入力手段により入力された画像データを前記第１記憶手段に保持するように前記第１記憶手段及び前記第２記憶手段への画像データの記憶を制御する制御手段と、前記第１記憶手段又は前記第２記憶手段から画像データを読み出し出力する出力手段とを有することを特徴とする。
【手続補正３】
【補正対象書類名】明細書
【補正対象項目名】０００９
【補正方法】変更
【補正の内容】
【０００９】
また、上記の課題を解決するため、本発明に係る画像出力装置は、第１記憶手段と、第１記憶手段よりデータアクセス速度が遅い第２記憶手段とを備える画像出力装置であって、複数の画像データを入力する入力手段と、画像データのデータサイズの閾値を設定する設定手段と、前記入力手段により入力された画像データのデータサイズが前記設定手段により設定された前記閾値より大きいか否かを判断する判断手段と、前記入力手段により入力された画像データのデータサイズが前記閾値より大きいと前記判断手段により判断された場合、前記入力手段により入力された画像データを第１記憶手段に記憶するとともに、その後に前記入力手段により入力される画像データを前記判断手段による判断にかかわらず前記第２記憶手段に記憶するよう前記第１記憶手段及び前記第２記憶手段を制御する制御手段と、前記第１記憶手段又は前記第２記憶手段から画像データを読み出し出力する出力手段とを有することを特徴とする。